(57)【特許請求の範囲】
【請求項１】
ハンディビデオカメラをショルダーカメラとして利用するために使用されるショルダーカメラアダプタであって、
前記ショルダーカメラアダプタは、ベース部を備え、
前記ベース部は、前記ハンディビデオカメラを保持するためのカメラ保持部を備え、
前記ベース部には、三脚に固定される三脚ベースに前記ショルダーカメラアダプタを固定する機構部が前記ショルダーカメラアダプタの少なくとも前後方向にずれた位置に少なくとも二箇所に設けられ、
前記ベース部には前記ショルダーカメラアダプタを利用するカメラマンの肩を載せる肩載せ部が設けられ、
前記機構部の１つは、前記肩載せ部をまたぐように設けられる、ショルダーカメラアダプタ。
【請求項２】
ハンディビデオカメラをショルダーカメラとして利用するために使用されるショルダーカメラアダプタであって、
前記ショルダーカメラアダプタは、ベース部を備え、
前記ベース部は、前記ハンディビデオカメラを保持するためのカメラ保持部を備え、
前記ベース部には、三脚に固定される三脚ベースに前記ショルダーカメラアダプタを固定する機構部が前記ショルダーカメラアダプタの少なくとも前後方向にずれた位置に少なくとも二箇所に設けられ、
前記機構部は、第１及び第２機構部を備え、
第２機構部は、第１機構部に対して、前記ショルダーカメラアダプタの前後方向及び幅方向にずれた位置に設けられる、ショルダーカメラアダプタ。
【請求項３】
ハンディビデオカメラをショルダーカメラとして利用するために使用されるショルダーカメラアダプタであって、
前記ショルダーカメラアダプタは、ベース部を備え、
前記ベース部は、前記ハンディビデオカメラを保持するためのカメラ保持部を備え、
前記ベース部には、三脚に固定される三脚ベースに前記ショルダーカメラアダプタを固定する機構部が前記ショルダーカメラアダプタの少なくとも前後方向にずれた位置に少なくとも二箇所に設けられ、
前記ベース部は、第１及び第２ベース部を備え、
第２ベース部は、第１ベース部に対して、前記ショルダーカメラアダプタの前後方向及び幅方向にずれた位置に設けられ、
第２ベース部に前記カメラ保持部が設けられ、
前記機構部は、第１及び第２機構部を備え、
第１機構部は、第１ベース部に設けられ、第２機構部は、第２ベース部に設けられる、ショルダーカメラアダプタ。
【請求項４】
ハンディビデオカメラをショルダーカメラとして利用するために使用されるショルダーカメラアダプタであって、
前記ショルダーカメラアダプタは、ベース部を備え、
前記ベース部は、前記ハンディビデオカメラを保持するためのカメラ保持部を備え、
前記ベース部には、三脚に固定される三脚ベースに前記ショルダーカメラアダプタを固定する機構部が設けられ、
前記ショルダーカメラアダプタは、前記ハンディビデオカメラの上側に配置されるハンドルを備え、
前記ハンドルには、前記ハンドルに装着されるビデオライトに給電するためのビデオライト端子が設けられる、ショルダーカメラアダプタ。
【請求項５】
ハンディビデオカメラをショルダーカメラとして利用するために使用されるショルダーカメラアダプタであって、
前記ショルダーカメラアダプタは、ベース部を備え、
前記ベース部は、前記ハンディビデオカメラを保持するためのカメラ保持部を備え、
前記ベース部には、三脚に固定される三脚ベースに前記ショルダーカメラアダプタを固定する機構部が設けられ、
前記ショルダーカメラアダプタは、外部バッテリーから給電された外部電力を前記ハンディビデオカメラに供給する電源回路を備え、
前記電源回路は、前記外部電力の電圧が所定値を超える場合には、前記ハンディビデオカメラに対して一定の電圧で電力を供給し、且つ前記外部電力の電圧が所定値を下回る場合には、前記外部電力の電圧降下に連動させて前記ハンディビデオカメラに供給する電力の電圧を降下させるように構成される、ショルダーカメラアダプタ。
【請求項６】
ハンディビデオカメラをショルダーカメラとして利用するために使用されるショルダーカメラアダプタであって、
前記ショルダーカメラアダプタは、ベース部を備え、
前記ベース部は、前記ハンディビデオカメラを保持するためのカメラ保持部を備え、
前記ベース部には、三脚に固定される三脚ベースに前記ショルダーカメラアダプタを固定する機構部が設けられ、
前記ショルダーカメラアダプタは、前記ハンディビデオカメラに対する制御信号の出力を制御する操作部と、前記ハンディビデオカメラの上側に配置されるハンドルを備え、
前記操作部は、前記ハンドルに設けられる、ショルダーカメラアダプタ。
【請求項７】
前記操作部は、ズームリモート信号、アイリス信号、レックＯＮ／ＯＦＦ信号の少なくとも１つの出力を制御するように構成される、請求項６に記載のショルダーカメラアダプタ。
【請求項８】
ハンディビデオカメラをショルダーカメラとして利用するために使用されるショルダーカメラアダプタであって、
前記ショルダーカメラアダプタは、ベース部を備え、
前記ベース部は、前記ハンディビデオカメラを保持するためのカメラ保持部を備え、
前記ベース部には、三脚に固定される三脚ベースに前記ショルダーカメラアダプタを固定する機構部が設けられ、
前記ベース部には前記ショルダーカメラアダプタを利用するカメラマンの肩を載せる肩載せ部が設けられ、
前記機構部は、前記肩載せ部をまたぐように設けられる、ショルダーカメラアダプタ。
【請求項９】
前記機構部は、前記ショルダーカメラアダプタの少なくとも前後方向にずれた位置に少なくとも二箇所に設けられる、請求項４〜請求項８の何れか１つに記載のショルダーカメラアダプタ。
【請求項１０】
前記ベース部の後端近傍には、前記ベース部から立ち上がる後壁が設けられ、
前記後壁には、外部バッテリーを取付可能なバッテリー取付部が設けられる、請求項１〜請求項９の何れか１つに記載のショルダーカメラアダプタ。
【請求項１１】
前記ショルダーカメラアダプタは、前記ハンディビデオカメラのカメラマンからの電源ＯＮ／ＯＦＦ信号に従って制御される電力出力部を備える、請求項１〜請求項１０の何れか１つに記載のショルダーカメラアダプタ。
【発明の詳細な説明】
【技術分野】
【０００１】
本発明は、ハンディビデオカメラをショルダーカメラとして利用するために使用されるショルダーカメラアダプタに関する。
【背景技術】
【０００２】
テレビ局やプロダクション等の番組制作用には、ショルダーカメラと称される、大型で高価なビデオカメラが使用される。このようなカメラは、撮影映像が高品質であることに加えて、肩に乗せて撮影でき、長時間安定して撮影できるようになっている。
【０００３】
ところで、近年、小型で安価なハンディビデオカメラの性能向上が著しく、ハンディビデオカメラを用いた場合でも、放送用途に耐えうる映像を撮影することができるようになってきた。そこで、番組制作のコストダウンのために、ハンディビデオカメラを放送用途に使用したいという要望が出てきた。
【０００４】
しかし、ハンディビデオカメラは、ショルダーカメラとしての利用が想定されておらず、手持ち撮影では片手で顔の前に構えるため、長時間撮影に適していない。
【０００５】
ところで、ENG撮影においては、カメラマンには常にカメラを構えていなければならない撮影をすることが強いられることもある。このような場合、ビューファインダーを覗いたままその瞬間を狙うために構えていなければならない。ハンディビデオカメラにショルダーカメラアダプタを取り付け、さらにそれを三脚に取り付けて撮影を行う。撮影には、ズーム・フォーカス・アイリス・ＲＥＣの操作が必要であり、その操作は、ショルダーカメラは通常、本体を肩に乗せて撮影するので両手が自由に使えて操作が行われる。しかし、ハンディビデオカメラ場合、本体を左手で持ち、右手で操作する。本体が多少軽くても。左手だけで支えるため、長時間の手持ち撮影は腕の負担が大きく非常に操作しにくい。
【０００６】
このような問題を解決するために、特許文献１には、ハンディビデオカメラをショルダーカメラのように使用することを可能にするショルダーカメラアダプタが開示されている。
【先行技術文献】
【特許文献】
【０００７】
【特許文献１】特開２０１０−４５０７号公報
【発明の概要】
【発明が解決しようとする課題】
【０００８】
特許文献１のショルダーカメラアダプタは、三脚に固定された三脚ベースにショルダーカメラアダプタを固定するための機構部（三脚ベース用アタッチメント及び三脚ベース用アタッチメント用止め金具）を備えている。そして、このような機構部を介してショルダーカメラアダプタを三脚ベースに固定することによって、ハンディビデオカメラをショルダーカメラアダプタに装着した状態でも、三脚を用いた撮影が可能になっている。
【０００９】
また、特許文献１のショルダーカメラアダプタには、外部バッテリーが装着可能になっており、外部バッテリーからハンディビデオカメラに給電することによって長時間撮影が可能になっている。
【００１０】
ところで、近年、より長時間の撮影を行うことが求められており、それに伴って、ショルダーカメラアダプタに装着される外部バッテリーも大型化する傾向がある。そして、本発明者が大型の外部バッテリーをショルダーカメラアダプタに装着して三脚を用いた撮影を行っていると、三脚がバランスをくずして後方に倒れてしまうという現象が起こった。
本発明はこのような事情に鑑みてなされたものであり、大型の外部バッテリーを装着して三脚を用いた撮影を行う場合でも、三脚が後方に倒れることが抑制されるショルダーカメラアダプタを提供するものである。
【課題を解決するための手段】
【００１１】
本発明によれば、ハンディビデオカメラをショルダーカメラとして利用するために使用されるショルダーカメラアダプタであって、前記ショルダーカメラアダプタは、ベース部を備え、前記ベース部は、前記ハンディビデオカメラを保持するためのカメラ保持部を備え、前記ベース部には、三脚に固定される三脚ベースに前記ショルダーカメラアダプタを固定する機構部が前記ショルダーカメラアダプタの少なくとも前後方向にずれた位置に少なくとも二箇所に設けられる、ショルダーカメラアダプタが提供される。
【００１２】
本発明者は外部バッテリーの装着時に三脚が倒れる場合があるという課題を解決すべく鋭意検討を行ったところ、三脚ベースにショルダーカメラアダプタを固定するための機構部を、ショルダーカメラアダプタのベース部の少なくとも前後方向にずれた位置に少なくとも二箇所に設けることによって、ショルダーカメラアダプタへの外部バッテリーの装着の有無及び装着された外部バッテリーの重量に応じて、ショルダーカメラアダプタを三脚ベースに固定するための機構部を適宜選択することが可能になるので、ショルダーカメラアダプタを三脚に固定したときに三脚がバランスをくずして倒れることが抑制される。
【００１３】
以下、本発明の種々の実施形態を例示する。以下に示す実施形態は互いに組み合わせ可能である。
好ましくは、前記機構部は、第１及び第２機構部を備え、第２機構部は、第１機構部に対して、前記ショルダーカメラアダプタの前後方向及び幅方向にずれた位置に設けられる。
好ましくは、前記ベース部は、第１及び第２ベース部を備え、第２ベース部は、第１ベース部に対して、前記ショルダーカメラアダプタの前後方向及び幅方向にずれた位置に設けられ、第２ベース部に前記カメラ保持部が設けられる。
好ましくは、前記機構部は、第１及び第２機構部を備え、第１機構部は、第１ベース部に設けられ、第２機構部は、第２ベース部に設けられる。
好ましくは、前記ベース部の後端近傍には、前記ベース部から立ち上がる後壁が設けられ、前記後壁には、外部バッテリーを取付可能なバッテリー取付部が設けられる。
好ましくは、前記ショルダーカメラアダプタは、前記ハンディビデオカメラの上側に配置されるハンドルを備え、前記ハンドルには、前記ハンドルに装着されるビデオライトに給電するためのビデオライト端子が設けられる。
好ましくは、前記ショルダーカメラアダプタは、前記ハンディビデオカメラのカメラマンからの電源ＯＮ／ＯＦＦ信号に従って制御される電力出力部を備える。
好ましくは、前記ショルダーカメラアダプタは、外部バッテリーから給電された外部電力を前記ハンディビデオカメラに供給する電源回路を備え、前記電源回路は、前記外部電力の電圧が所定値を超える場合には、前記ハンディビデオカメラに対して一定の電圧で電力を供給し、且つ前記外部電力の電圧が所定値を下回る場合には、前記外部電力の電圧降下に連動させて前記ハンディビデオカメラに供給する電力の電圧を降下させるように構成される。
好ましくは、前記ショルダーカメラアダプタは、前記ハンディビデオカメラに対する制御信号の出力を制御する操作部を備える。
好ましくは、前記ショルダーカメラアダプタは、前記ハンディビデオカメラの上側に配置されるハンドルを備え、前記操作部は、前記ハンドルに設けられる。
好ましくは、前記操作部は、前記ベース部の前端に設けられる。
好ましくは、前記操作部は、ズームリモート信号、アイリス信号、レックＯＮ／ＯＦＦ信号の少なくとも１つの出力を制御するように構成される。
【図面の簡単な説明】
【００１４】
【図１】ショルダーカメラアダプタ１０にハンディビデオカメラ１を装着した状態を示す右側面図である。
【図２】図１の左側面図である。
【図３】ショルダーカメラアダプタ１０の底面図である。
【図４】ショルダーカメラアダプタ１０の斜視図である。
【図５】ショルダーカメラアダプタ１０の斜視図である。
【図６】第２ベース部４の機構部を用いてショルダーカメラアダプタ１０を三脚ベース２３に固定した状態を示す右側面図である。
【図７】図６のショルダーカメラアダプタ１０に外部バッテリー２４を装着した状態を示す右側面図である。
【図８】第１ベース部３の機構部を用いてショルダーカメラアダプタ１０を三脚ベース２３に固定した状態を示す右側面図である。
【発明を実施するための形態】
【００１５】
以下、図面を用いて本発明の実施形態について説明する。以下に示す実施形態中で示した各種特徴事項は、互いに組み合わせ可能である。また、各特徴事項について独立して発明が成立する。
【００１６】
図１〜図８に示すように、本発明の一実施形態のショルダーカメラアダプタ１０は、ハンディビデオカメラ１をショルダーカメラとして利用するために使用される。ショルダーカメラアダプタ１０は、ベース部５を備える。ベース部５は、第１ベース部３及び第２ベース部４を備える。
【００１７】
第１ベース部３は、ベース部５の後端側に設けられており、第１ベース部３には、三脚ベース用アタッチメント３ａと三脚ベース用アタッチメント用止め金具３ｂが設けられている。アタッチメント３ａと止め金具３ｂは、図８に示すように、三脚２２に固定される三脚ベース２３にショルダーカメラアダプタ１０を固定するための第１機構部として機能する。三脚ベース２３は、ビデオカメラを三脚にワンタッチで着脱することを可能にするために三脚に固定される部材であり、例えば、ソニー社製のＶＣＴ−１４及びＶＣＴ−Ｕ１４、及び日本ビデオシステム社製のＶＳＴ−１４などが市販されている。アタッチメント３ａと止め金具３ｂの間には、カメラマンの肩に載せる肩載せ部３ｃが設けられている。カメラマンは、肩載せ部３ｃを肩に載せることによってハンディビデオカメラをショルダーカメラとして利用することが可能になる。肩載せ部３ｃには、適宜、クッションを設けてもよい。
【００１８】
第２ベース部４は、ベース部５の前端５ａ側に設けられている。第２ベース部４は、第１ベース部３に対して、ショルダーカメラアダプタ１０の前後方向及び幅方向に（つまり、斜め方向に）ずれた位置に設けられている。第２ベース部４には、三脚ベース用アタッチメント４ａと三脚ベース用アタッチメント用止め金具４ｂが設けられている。アタッチメント４ａと止め金具４ｂは、図６に示すように、三脚２２に固定される三脚ベース２３にショルダーカメラアダプタ１０を固定するための第２機構部として機能する。アタッチメント４ａと止め金具４ｂの間には、ハンディビデオカメラ１を保持するためのカメラ保持部４ｃが設けられている。カメラ保持部４ｃには、ビデオカメラ固定ネジ４ｄが設けられており、ハンディビデオカメラ１の下面に設けられた三脚ネジ孔（不図示）に固定ネジ４ｄを螺合させることによって、ハンディビデオカメラ１をカメラ保持部４ｃに固定することができる。
【００１９】
このように、第１及び第２機構部は、それぞれ、第１及び第２ベース部３，４に設けられており、第１及び第２ベース部３，４がショルダーカメラアダプタ１０の前後方向及び幅方向にずれた位置に設けられているので、第１及び第２機構部も前後方向及び幅方向にずれた位置に設けられる。但し、第１及び第２機構部は、前後方向のみにずれた位置に設けてもよい。
【００２０】
ベース部５の後端近傍には、ベース部５から立ち上がる後壁７が設けられており、後壁７には、図８に示すように、外部バッテリー２４を取付可能なバッテリー取付部７ａが設けられている。バッテリー取付部７ａに取り付けた外部バッテリー２４からショルダーカメラアダプタ１０に給電することができる。ショルダーカメラアダプタ１０には、電源入力端子１３が設けられており、この端子１３を介してショルダーカメラアダプタ１０に給電することができる。
【００２１】
また、ショルダーカメラアダプタ１０には、カメラ電源端子９と、ビデオライト端子２０と、電源出力端子１４が設けられている。カメラ電源端子９にハンディビデオカメラ１からの電源ケーブルを接続することによってハンディビデオカメラ１に給電することができる。ビデオライト端子２０にビデオライト（図示せず）からの電源ケーブルを接続することによってビデオライトに給電することができる。また、その他の電力を必要とする機材からの電源ケーブルを電源出力端子１４に接続することによって、その機材に給電することができる。
【００２２】
これらの端子９，１４，２０は、ショルダーカメラアダプタ１０からの電力出力部として機能する。電源出力部からの電力出力は、電源スイッチ２１を切り替えることによってＯＮ／ＯＦＦさせることができる。電源スイッチ２１は、ベース部５の前端５ａの近傍に設けられており、ハンディビデオカメラ１のカメラマンが操作することができる。そして、カメラマンが電源スイッチ２１を切り替えることによって電源ＯＮ／ＯＦＦ信号が発生し、この電源ＯＮ／ＯＦＦ信号に従って電源出力部からの電力出力が制御される。
【００２３】
また、ショルダーカメラアダプタ１０には、中継端子３０〜３２が設けられている。ハンディビデオカメラ１の出力端子と、中継端子３０〜３２とを接続しておくことによって、ショルダーカメラのようにボディ横方向からケーブルを脱着することが可能になる。また、衝突などの際に、ハンディビデオカメラ１の出力端子の破損を防止することができる。
【００２４】
ショルダーカメラアダプタ１０には、ＤＣ−ＤＣコンバーターからなる電源回路が内蔵されている。この電源回路は、外部バッテリー２４から給電された外部電力をカメラ電源端子９から出力してハンディビデオカメラ１に供給する機能を有する。また、この電源回路は、外部電力の電圧が所定値を超える場合には、ハンディビデオカメラ１に対して一定の電圧で電力を供給し、且つ外部電力の電圧が所定値を下回る場合には、外部電力の電圧降下に連動させてハンディビデオカメラ１に供給する電力の電圧を降下させるように構成される。外部バッテリー２４から給電された外部電力の電圧が降下してもＤＣ−ＤＣコンバーターによって昇圧することによってハンディビデオカメラ１に供給する電力の電圧を一定に維持することは可能であるが、その場合、外部バッテリー２４の残量が少ないにも関わらず、ハンディビデオカメラ１には適正な電圧が供給され続けるので、ハンディビデオカメラ１ではバッテリー残量が少ないという旨の警告がなされない。そして、外部電力の電圧がさらに降下するとＤＣ−ＤＣコンバーターによって一定電圧にまで昇圧することができなくなり、ハンディビデオカメラ１への給電が突然停止する。この場合、メモリー型のハンディビデオカメラでは録画している映像が保存できなかったり、復旧するまでの時間がかかったりするという問題がある。
【００２５】
これに対して、本実施形態では、外部電力の電圧が所定値を下回る場合には、外部電力の電圧降下に連動させてハンディビデオカメラ１に供給する電力の電圧を降下させるように構成されているので、外部バッテリー２４の残量が残り少なくなって外部電力の電圧が所定値を下回ると、ハンディビデオカメラ１に供給される電力の電圧が低くなり、ハンディビデオカメラ１において外部バッテリー２４の残量が少ないという旨の警告を発生させることが可能になる。これによって、外部バッテリー２４を適切なタイミングで交換することが可能になる。
【００２６】
ショルダーカメラアダプタ１０には、ハンディビデオカメラ１の上側に配置されるハンドル８が設けられている。ハンドル８は、その基端部８ｃが後壁７の上縁にビス８ａで固定されている。ハンドル８の先端部には下方に突出する突出片８ｂが設けられており、突出片８ｂに固定されるアダプタ（不図示）を介して、ハンドル８がハンディビデオカメラ１のハンドルに固定される。ハンドル８には、ビデオライト端子２０と、リモコン出力端子１５と、レックＯＮ／ＯＦＦボタン１６と、ズームリモートボリューム１７が設けられている。レックＯＮ／ＯＦＦボタン１６を操作するとレックＯＮ／ＯＦＦ信号がリモコン出力端子１５から出力され、ズームリモートボリューム１７を操作するとズームリモート信号がリモコン出力端子１５から出力される。また、ハンドル８にアイリスボリュームを設け、アイリスボリュームの操作によってリモコン出力端子１５からアイリス信号を出力させてもよい。この場合、レックＯＮ／ＯＦＦボタン１６、ズームリモートボリューム１７、及びアイリスボリュームによって、ハンディビデオカメラ１に対する制御信号の出力を制御する操作部が構成される。そして、リモコン出力端子１５から出力された制御信号（レックＯＮ／ＯＦＦ信号、ズームリモート信号、アイリス信号）をハンディビデオカメラ１に入力することによって、ズームリモコンを別途準備することなく、ハンディビデオカメラ１の制御を行うことが可能になる。
【００２７】
ショルダーカメラアダプタ１０のベース部５の前端５ａには、レックＯＮ／ＯＦＦボタン１８と、アイリスボリューム１９が設けられている。レックＯＮ／ＯＦＦボタン１８を操作するとレックＯＮ／ＯＦＦ信号がリモコン出力端子１５から出力され、アイリスボリューム１９を操作するとアイリス信号がリモコン出力端子１５から出力される。また、ベース部５の前端５ａにズームリモートボリュームを設けてもよい。
【００２８】
本実施形態のショルダーカメラアダプタ１０では、第１及び第２ベース部３，４のそれぞれに、三脚ベース２３にショルダーカメラアダプタ１０を固定するための機構部が設けられており、ショルダーカメラアダプタ１０を三脚ベース２３に固定する際にどちらの機構部を用いてもよいので、ショルダーカメラアダプタ１０とそれに固定される部材（ハンディビデオカメラ１、外部バッテリー２４等）で構成されるアダプタユニットＵの重心の位置に従って適切な機構部を用いることによって、ショルダーカメラアダプタ１０を三脚ベース２３に固定したときに、アダプタユニットＵの重心の位置が三脚２２の直上に近い位置となり、三脚２２がバランスを崩して倒れることが抑制される。
【００２９】
図６の例では、ショルダーカメラアダプタ１０に外部バッテリーが装着されていないので、アダプタユニットＵの重心の位置が比較的前方に位置している。そのため、第２ベース部４に設けられた機構部を用いてショルダーカメラアダプタ１０を三脚ベース２３に固定することによってアダプタユニットＵを安定して三脚２２上に保持することができる。一方、図７に示すように、ショルダーカメラアダプタ１０に大型の外部バッテリー２４が装着されると、アダプタユニットＵの重心が後方に移動する。それにも関わらず、第２ベース部４に設けられた機構部を用いてショルダーカメラアダプタ１０を三脚ベース２３に固定すると、三脚２２がバランスを崩して後方に倒れやすくなる。そこで、このような場合には、図８に示すように、第１ベース部３に設けられた機構部を用いてショルダーカメラアダプタ１０を三脚ベース２３に固定することによってアダプタユニットＵを安定して三脚２２上に保持することができる。また、図７の状態では、外部バッテリー２４の重量によってアダプタユニットＵが右方向に傾きやすいが、第１ベース部３に設けられた機構部を用いてショルダーカメラアダプタ１０を三脚ベース２３に固定することによって、このような傾きを低減させることができる。
【符号の説明】
【００３０】
１：ハンディビデオカメラ、３：第１ベース部、４：第２ベース部、３ａ，３ｂ：三脚ベース用アタッチメント、３ｂ，４ｂ：三脚ベース用アタッチメント用止め金具、３ｃ：肩載せ部、４ｃ：カメラ保持部、５：ベース部、７：後壁、７ａ：バッテリー取付部、８：ハンドル、９：カメラ電源端子、１０：ショルダーカメラアダプタ、１３：電源入力端子、１４：電源出力端子、１６，１８：レックＯＮ／ＯＦＦボタン、１７：ズームリモートボリューム、１９：アイリスボリューム、２０：ビデオライト端子、２１：電源スイッチ
【要約】
【課題】大型の外部バッテリーを装着して三脚を用いた撮影を行う場合でも、三脚が後方に倒れることが抑制されるショルダーカメラアダプタを提供する。
【解決手段】本発明によれば、ハンディビデオカメラをショルダーカメラとして利用するために使用されるショルダーカメラアダプタであって、前記ショルダーカメラアダプタは、ベース部を備え、前記ベース部は、前記ハンディビデオカメラを保持するためのカメラ保持部を備え、前記ベース部には、三脚に固定される三脚ベースに前記ショルダーカメラアダプタを固定する機構部が前記ショルダーカメラアダプタの少なくとも前後方向にずれた位置に少なくとも二箇所に設けられる、ショルダーカメラアダプタが提供される。
【選択図】図１【図１】
0005957158.tif 000002
【図２】
0005957158.tif 000003
【図３】
0005957158.tif 000004
【図４】
0005957158.tif 000005
【図５】
0005957158.tif 000006
【図６】
0005957158.tif 000007
【図７】
0005957158.tif 000008
【図８】
0005957158.tif 000009